(57)【要約】【課題】様々な裏写り原稿に的確に対処して裏写り除去を行うことができる画像形成装置を提供する。【解決手段】両面印刷された原稿の複写に際し、裏面の画像が透けて表面の画像の中に混ざって入力される裏写りを除去する裏写り除去手段１０２を備えた画像形成装置において、裏写り除去処理を多段階に行う機能を有する。【選択図】      図３
2004214884.tif 000002
【特許請求の範囲】
【請求項１】
両面印刷された原稿の複写に際し、裏面の画像が透けて表面の画像の中に混ざって入力される裏写りを除去する裏写り除去手段を備えた画像形成装置において、前記裏写り除去手段による裏写り除去処理を多段階に行う機能を有することを特徴とする画像形成装置。
【請求項２】
請求項１記載の画像形成装置において、多段階の裏写り補正レベルの画像を表示し、任意の補正レベルを選択させる機能を有する操作表示手段と、該操作表示手段を制御する制御手段と、を備えたことを特徴とする画像形成装置。
【発明の詳細な説明】
【０００１】
【発明の属する技術分野】
本発明は、両面印刷された原稿の複写に際し、裏面の画像が透けて表面の画像の中に混ざって入力される裏写りを除去する裏写り除去手段を備えた画像形成装置に関する。
【０００２】
【従来の技術】
カラースキャナ、デジタルカメラ、デジタルカラー複写機などのカラー画像入力機器の普及により、本、雑誌、カタログ、広告、新聞などの文書画像も、カラーで入力されるのが一般的になってきている。これらの文書では、紙の両面に印刷されていることがしばしばあるので、裏面の画像が透けて表面の画像の中に混ざって入力される裏写りが生じる。
これまでにも、ブックスキャナや両面スキャナなどの特殊な入力機器を中心とした、裏写り除去方法が提案されている（例えば、特許文献１参照）。
【特許文献１】特開２００１−１６９０８０公報
【０００３】
【発明が解決しようとする課題】
ところで、カラー文書の場合、背景色が一様でなかったり、絵柄、模様、写真が混在していることが多い。このため、デジタル画像処理によって入力された画像から裏写りを除去する問題は、画質向上のために重要でありながら取り扱いの難しいものとされてきた。
また様々な裏写りに対し、一様に対応することは難しく、裏写り除去の画像処理のレベルを変えることは知られているが、従来、どのレベルを選択してよいのかは、それぞれ出力してみないと分からなかった。
本発明は、上述のごとき実情に鑑みてなされたものであり、様々な裏写り原稿に的確に対処して裏写り除去を行うことができる画像形成装置を提供することを目的とする。
【０００４】
【課題を解決するための手段】
上記目的を達成するために、請求項１記載の発明は、両面印刷された原稿の複写に際し、裏面の画像が透けて表面の画像の中に混ざって入力される裏写りを除去する裏写り除去手段を備えた画像形成装置において、前記裏写り除去手段による裏写り除去処理を多段階に行う機能を有することを特徴とする。
請求項２記載の発明は、請求項１記載の画像形成装置において、多段階の裏写り補正レベルの画像を表示し、任意の補正レベルを選択させる機能を有する操作表示手段と、該操作表示手段を制御する制御手段と、を備えたことを特徴とする。
【０００５】
【発明の実施の形態】
以下、図面により本発明の実施の形態を詳細に説明する。図１は、本発明が適用される前提となる一般的な画像形成装置の全体構成図である。その構成を動作と併せて説明する。
自動原稿送り装置（ＡＤＦ）１にある原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。ＡＤＦ１は１枚の原稿を給送完了により原稿枚数をカウントアップするカウント機能を有している。
読み取りユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、この原稿は前原稿と同様にコンタクトガラス６上に給送される。給送ローラ３、給送ベルト４、排送ローラ５は搬送モータ２６によって駆動される。
【０００６】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザーによって感光体１５に書き込まれ、現像ユニット２７を通過することによってトナー像が形成される。
そして、転写紙は感光体１５の回転と等速で搬送ベルト１６によって搬送されながら、感光体１５上のトナー像が転写される。その後、定着ユニット１７にて画像を定着させ、転写紙は排紙ユニット１８によって排紙トレイ１９に排出される。
転写紙の両面に画像を作像する場合は、各給紙トレイ８〜１０から給紙され作像された転写紙を排紙トレイ１９側に導かないで、両面入紙搬送路６１に搬送し、反転ユニット６２でスイッチバック反転し両面搬送ユニット６３に送る。両面搬送ユニット６３に送られた転写紙は再度縦搬送ユニット１４に送られて裏面に画像を印刷された後に排紙される。また、転写紙を反転して排出する場合は反転ユニット６２でスイッチバック反転した転写紙を両面搬送ユニット６３に送らずに反転排紙搬送路６４に送り出して排紙する。
【０００７】
感光体１５、搬送ベルト１６、定着ユニット１７、排紙ユニット１８、現像ユニット２７はメインモータ２５によって駆動され、各給紙装置１１〜１３にはメインモータ２５の駆動力が各々給紙クラッチ２２〜２４によって伝達される。縦搬送ユニット１４にはメインモータ２５の駆動力が中間クラッチ２１によって伝達される。
【０００８】
図２は、やはり本発明が適用される前提となる一般的な操作部のレイアウト図である。操作部３０には、液晶タッチパネル３１、テンキー３２、クリア／ストップキー３３、プリントキー３４、モードクリアキー３５、初期設定キー３６があり、液晶タッチパネル３１には、機能キー３７、部数、及び画像形成装置の状態を示すメッセージなどが表示される。
図１に戻り、画像形成装置の原稿読み取りから、画像の書き込みまでを説明する。読み取りユニット５０は、原稿を載置するコンタクトガラス６と光学走査系で構成されており、光学走査系は、露光ランプ５１、第１ミラー５２、レンズ５３、ＣＣＤイメージセンサ５４等で構成されている。露光ランプ５１及び第１ミラー５２は図示しない第１キャリッジ上に固定され、第２ミラー５５及び第３ミラー５６は図示しない第２キャリッジ上に固定されている。
原稿像を読み取るときには、光路長が変わらないように、第１キャリッジと第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【０００９】
図３は本発明の実施の形態に係る画像形成装置の機能ブロック図である。画像読み取り手段１０１により読み取られた原稿の画像信号は、裏写り除去手段１０２へ入力され、裏写り除去処理が施される。その後、画像形成手段１０３により画像形成が行われる。ユーザからの操作には操作手段１０４が使用され、システム制御手段１０５は先述の各手段を統括管理制御する。太線が画像データ、細線が制御データを示す。
また、外部装置に信号を転送する場合、裏写り除去手段１０２から出力された裏写り除去画像信号を転送手段１０６に入力し、そこから転送する。使用する裏写り除去手段１０２としては、既述の特許文献１に示された裏写り除去手段を援用するものとする。
図４は裏写り画像の説明図である。（１）が原稿オモテ面、（２）が原稿ウラ面であった場合、裏写り画像は（３）の様に目に映る。
【００１０】
図５、図６は外部装置のディスプレイの第１、第２の表示例を示す図である。図５がディスプレイ１１０の初期画面、図６が図５における裏写り除去設定キー１１１を押したときの画面である。図６の画面上のモニタキー１１２及びモニタ出力キー１１３を押すことで、図７に示す画面が出力される。
第１の実施例では、図５のディスプレイ１１０上の裏写り除去設定キー１１１を押下すると、図６の画面が表示され、さらにモニタキー１１２を押下した後、モニタ出力キー１１３を押下すると、コンタクトガラス１２０上の図８（１）の原稿エリアを読み取ってすべての裏写り補正レベルの画像を、図７のようにディスプレイ１１０上に表示させる。ユーザはその画像を見て、どの裏写り補正レベルを選択するかを図６のレベル指定選択キー１１４によって設定することができる。
第２の実施例では、図５のディスプレイ１１０上の裏写り除去設定キー１１１を押下すると、図６の画面が表示され、さらにモニタキー１１２を押下した後、エリア指定キー１１５を押下して、コンタクトガラス１２０上の図８（２）の原稿エリアを指定し、モニタ出力キー１１３を押下すると、読み取ってすべての裏写り補正レベルの画像を図７のようにディスプレイ１１０上に表示させる。ユーザはその画像を見て、どの裏写り補正レベルを選択するかを図６のレベル指定選択キー１１４によって設定することができる。
第３の実施例では、図５のディスプレイ１１０上の裏写り除去設定キー１１１を押下すると、図６の画面が表示され、さらにモニタキー１１２を押下した後、モニタ出力キー１１３を押下すると、コンタクトガラス１２０上の図８（３）の原稿エリアを読み取って、すべての裏写り補正レベルの画像を図７のようにディスプレイ１１０上に表示させる。ユーザはその画像を見て、どの裏写り補正レベルを選択するかを図６のレベル指定選択キー１１４によって設定することができる。
第４の実施例では、図５のディスプレイ１１０上の裏写り除去設定キー１１１を押下すると、図６の画面がディスプレイ１１０上に表示される。さらにモニタキー１１２を押下した後、エリア指定キー１１５を押下して、コンタクトガラス１２０上の図８（４）の原稿エリアを指定し、モニタ出力キー１１３を押下すると、読み取ってすべての裏写り補正レベルの画像を図７のようにディスプレイ１１０上に表示させる。ユーザはその画像を見て、どの裏写り補正レベルを選択するかを図６のレベル指定選択キー１１４によって設定することができる。
【００１１】
【発明の効果】
以上説明したように、本発明によれば、両面印刷された原稿の複写に際し、裏面の画像が透けて表面の画像の中に混ざって入力される裏写りを除去する裏写り除去手段を備えた画像形成装置において、裏写り除去処理を多段階に行う機能を有するので、様々な裏写り原稿に対し的確な裏写り除去処理を行うことができる。
【図面の簡単な説明】
【図１】一般的な画像形成装置の全体構成図である。
【図２】一般的な操作部のレイアウト図である。
【図３】本発明の実施の形態に係る画像形成装置の機能ブロック図である。
【図４】裏写り画像の説明図である。
【図５】操作手段のディスプレイの第１の表示例を示す図である。
【図６】操作手段のディスプレイの第２の表示例を示す図である。
【図７】操作手段のディスプレイの第３の表示例を示す図である。
【図８】コンタクトガラス上の原稿エリアを示す図である。
【符号の説明】
１０１  画像読み取り手段
１０２  裏写り除去手段
１０３  画像形成手段
１０４  操作手段
１０５  システム制御手段
１０６  転送手段
【図１】
2004214884.tif 000003
【図２】
2004214884.tif 000004
【図３】
2004214884.tif 000005
【図４】
2004214884.tif 000006
【図５】
2004214884.tif 000007
【図６】
2004214884.tif 000008
【図７】
2004214884.tif 000009
【図８】
2004214884.tif 000010